【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
送信電波式認証システムに関する方法であって、該方法は：
少なくとも１つの送信電波源から、認証信号及び少なくとも１つのガード用信号を送信することと、
少なくとも１つの受信電波源から、少なくとも１つの結果信号を受信することであって、前記少なくとも１つの結果信号が、前記認証信号及び前記少なくとも１つのガード用信号のうちの少なくとも一方の信号を含む、前記受信することと、
少なくとも１つの認証装置で、少なくとも１つの認証要求者を、該認証要求者が前記受信電波源から受信する前記結果信号を分析することにより認証することと、
を含む、方法。
【請求項２】
前記認証信号及び前記ガード用信号は、少なくとも１つの周波数に載せて送信される、請求項１に記載の方法。
【請求項３】
前記ガード用信号で送信されるデータを用いて正当性を確認する、請求項１に記載の方法。
【請求項４】
前記少なくとも１つのガード用信号は、少なくとも部分的に認証信号を含む、請求項１に記載の方法。
【請求項５】
前記ガード用信号で送信されるデータは、局所情報及び地域情報のうちの少なくとも一方の情報を含む、請求項１に記載の方法。
【請求項６】
前記ガード用信号で送信されるデータは偽データであり、該偽データを用いて、権限のない認証要求者、及び危険に曝されるシステムのうちの少なくとも一方を検知または位置特定する、請求項１に記載の方法。
【請求項７】
前記ガード用信号で送信されるデータは、これらの信号の重なり領域内に位置する正当な認証要求者が追跡することができる、請求項１に記載の方法。
【請求項８】
前記データは、少なくとも２つの位相のずれた２値位相偏移変調（ＢＰＳＫ）信号を利用して送信されることにより、前記位相のずれたＢＰＳＫ信号群が、少なくとも１つの４値位相偏移変調（ＱＰＳＫ）信号として現われる、請求項７に記載の方法。
【請求項９】
前記ガード用信号のビットストリームの変調方式を変更して、前記ビットストリーム内のビット群の放送電力をビットごとに変更する、請求項１に記載の方法。
【請求項１０】
少なくとも２つのガード用信号を送信するときに、これらの２つのガード用信号の相対電力を変化させて、前記認証信号のより近くに位置する前記ガード用信号群が、前記認証信号から遠く離れて位置する前記ガード用信号群よりも大きい電力を有するようにする、請求項１に記載の方法。
【請求項１１】
送信電波式認証システムであって、該システムは：
少なくとも１つの送信機であって、該少なくとも１つの送信機が、認証信号及び少なくとも１つのガード用信号を送信する、前記少なくとも１つの送信機と、
少なくとも１つの受信機であって、該受信機が少なくとも１つの結果信号を受信し、該結果信号が、前記認証信号及び前記ガード用信号のうちの少なくとも一方の信号を含む、前記少なくとも１つの受信機と、
少なくとも１つの認証装置であって、該認証装置が、少なくとも１つの認証要求者を、該認証要求者が前記受信機から受信する前記結果信号を分析することにより認証する、前記少なくとも１つの認証装置と、
を備える、システム。
【請求項１２】
前記認証装置は、ホストネットワークの少なくとも一部を動作させる、請求項１１に記載のシステム。
【請求項１３】
前記システムは更に、ホストネットワークを備え、該ホストネットワークは、前記少なくとも１つの認証要求者と前記少なくとも１つの認証装置との間の介在手段として動作する、請求項１１に記載のシステム。
【請求項１４】
前記システムは更に、サイバーロケートポータルを備え、前記結果信号が、前記認証装置に送信されて、前記サイバーロケートポータルを介した認証を行なう、請求項１１に記載のシステム。
【請求項１５】
送信電波式認証システムに関する方法であって、該方法は：
少なくとも１つの送信電波源から、複数の認証信号を送信することと、
少なくとも１つの受信電波源から、前記認証信号群のうちの少なくとも２つの認証信号を含む結果信号を受信することと、
少なくとも１つの認証要求者を、該認証要求者が前記少なくとも１つの受信電波源位置から受信する前記結果信号の特性を、前記認証要求者が前記少なくとも１つの受信電波源位置から受信する必要がある前記結果信号の予測特性と比較することにより認証することと、
を含む、方法。
【請求項１６】
前記認証信号群は、同じ周波数に載せて、同時刻に送信され、そして
各認証信号は、他の認証信号群とは異なる変調を有する、
請求項１５に記載の方法。
【請求項１７】
前記異なる変調は、デジタル変調された異なる擬似ランダム系列である、請求項１６に記載の方法。
【請求項１８】
デジタル変調された前記異なる擬似ランダム系列は、ＢＰＳＫの異なる符号系列である、請求項１７に記載の方法。
【請求項１９】
前記特性は、信号電力、ドップラーシフト、受信時刻、及び信号変調度のうちの少なくとも１つである、請求項１５に記載の方法。
【手続補正２】
【補正対象書類名】明細書
【補正対象項目名】００６３
【補正方法】変更
【補正の内容】
【００６３】
特定の例示的な実施形態及び方法を本明細書において開示してきたが、これまでの開示内容から、この技術分野の当業者であれば、このような実施形態及び方法の変更及び変形を、開示される技術の真の思想及び範囲から逸脱しない範囲で加えることができることを理解できる。各例が他の例とは軽微な点でしか異ならないような、開示される技術の多くの他の例が存在する。従って、開示される技術は、添付の請求項、及び準拠法の規則及び原則が要求する範囲にのみ限定されるものとする。
また、本願は以下に記載する態様を含む。
（態様１）
送信電波式認証システムに関する方法であって、該方法は：
少なくとも１つの送信電波源から、認証信号及び少なくとも１つのガード用信号を送信することと、
少なくとも１つの受信電波源から、少なくとも１つの結果信号を受信することであって、前記少なくとも１つの結果信号が、前記認証信号及び前記少なくとも１つのガード用信号のうちの少なくとも一方の信号を含む、前記受信することと、
少なくとも１つの認証装置で、少なくとも１つの認証要求者を、該認証要求者が前記受信電波源から受信する前記結果信号を分析することにより認証することと、
を含む、方法。
（態様２）
前記認証信号及び前記ガード用信号は、同じ送信電波源から送信される、態様１に記載の方法。
（態様３）
前記認証信号及び前記ガード用信号は、異なる送信電波源から送信される、態様１に記載の方法。
（態様４）
前記認証信号及び前記ガード用信号は、同じ周波数に載せて送信される、態様１に記載の方法。
（態様５）
前記認証信号及び前記ガード用信号は、異なる周波数に載せて送信される、態様１に記載の方法。
（態様６）
前記ガード用信号で送信されるデータを用いて正当性を確認する、態様１に記載の方法。
（態様７）
前記少なくとも１つのガード用信号は、少なくとも部分的に認証信号を含む、態様１に記載の方法。
（態様８）
前記ガード用信号で送信されるデータは、局所情報及び地域情報のうちの少なくとも一方の情報を含む、態様１に記載の方法。
（態様９）
前記ガード用信号で送信されるデータは偽データであり、該偽データを用いて、権限のない認証要求者、及び危険に曝されるシステムのうちの少なくとも一方を検出する、態様１に記載の方法。
（態様１０）
前記ガード用信号で送信されるデータは偽データであり、該偽データを用いて、権限のない認証要求者、及び危険に曝されるシステムのうちの少なくとも一方を位置特定する、態様１に記載の方法。
（態様１１）
前記ガード用信号で送信されるデータは、これらの信号の重なり領域内に位置する正当な認証要求者が追跡することができる、態様１に記載の方法。
（態様１２）
前記データは、少なくとも２つの差動２値位相偏移変調（ＢＰＳＫ）信号を利用して送信されることにより、前記差動ＢＰＳＫ信号群が、少なくとも１つの４値位相偏移変調（ＱＰＳＫ）信号として現われる、態様１１に記載の方法。
（態様１３）
前記ガード用信号のビットストリームの変調方式を変更して、前記ビットストリーム内のビット群の放送電力をビットごとに変更する、態様１に記載の方法。
（態様１４）
少なくとも２つのガード用信号を送信するときに、これらの２つのガード用信号の相対電力を変化させて、前記認証信号のより近くに位置する前記ガード用信号群が、前記認証信号から遠く離れて位置する前記ガード用信号群よりも大きい電力を有するようにする、態様１に記載の方法。
（態様１５）
送信電波式認証システムであって、該システムは：
少なくとも１つの送信機であって、該少なくとも１つの送信機が、認証信号及び少なくとも１つのガード用信号を送信する、前記少なくとも１つの送信機と、
少なくとも１つの受信機であって、該受信機が少なくとも１つの結果信号を受信し、該結果信号が、前記認証信号及び前記ガード用信号のうちの少なくとも一方の信号を含む、前記少なくとも１つの受信機と、
少なくとも１つの認証装置であって、該認証装置が、少なくとも１つの認証要求者を、該認証要求者が前記受信機から受信する前記結果信号を分析することにより認証する、前記少なくとも１つの認証装置と、
を備える、システム。
（態様１６）
前記認証装置は、ホストネットワークの少なくとも一部を動作させる、態様１５に記載のシステム。
（態様１７）
前記システムは更に、ホストネットワークを備え、該ホストネットワークは、前記少なくとも１つの認証要求者と前記少なくとも１つの認証装置との間の介在手段として動作する、態様１５に記載のシステム。
（態様１８）
前記受信機は、携帯電話機、携帯情報端末（ＰＤＡ）、パーソナルコンピュータ、コンピュータノード、インターネットプロトコル（ＩＰ）ノード、サーバ、及びｗｉ−ｆｉノードのうちの少なくとも１つにおいて用いられる、態様１５に記載のシステム。
（態様１９）
前記送信機は、少なくとも１つの衛星、及び少なくとも１つの擬似衛星のうちの少なくとも一方において用いられる、態様１５に記載のシステム。
（態様２０）
前記認証要求者は、静止している認証要求者、及び移動している認証要求者のうちの少なくとも一方である、態様１５に記載のシステム。
（態様２１）
前記認証装置はピア装置である、態様１５に記載のシステム。
（態様２２）
前記システムは更に、サイバーロケートポータルを備え、前記結果信号が、前記認証装置に送信されて、前記サイバーロケートポータルを介した認証を行なう、態様１５に記載のシステム。
（態様２３）
送信電波式認証システムに関する方法であって、該方法は：
少なくとも１つの送信電波源から、複数の認証信号を送信することと、
少なくとも１つの受信電波源から、前記認証信号群のうちの少なくとも２つの認証信号を含む結果信号を受信することと、
少なくとも１つの認証要求者を、該認証要求者が前記少なくとも１つの受信電波源位置から受信する前記結果信号の特性を、前記認証要求者が前記少なくとも１つの受信電波源位置から受信する必要がある前記結果信号の予測特性と比較することにより認証することと、
を含む、方法。
（態様２４）
前記認証信号群は、同じ送信電波源から送信される、態様２３に記載の方法。
（態様２５）
前記認証信号群は、異なる送信電波源から送信される、態様２３に記載の方法。
（態様２６）
前記送信電波源群のうちの少なくとも１つの送信電波源は、少なくとも１つの衛星、及び少なくとも１つの擬似衛星のうちの少なくとも一方の衛星において用いられる、態様２３に記載の方法。
（態様２７）
前記認証信号群は、同じ周波数に載せて、同時刻に送信され、そして
各認証信号は、他の認証信号群とは異なる変調を有する、
態様２３に記載の方法。
（態様２８）
前記異なる変調は、デジタル変調された異なる擬似ランダム系列である、態様２７に記載の方法。
（態様２９）
デジタル変調された前記異なる擬似ランダム系列は、ＢＰＳＫの異なる符号系列である、態様２８に記載の方法。
（態様３０）
前記特性は、信号電力、ドップラーシフト、受信時刻、及び信号変調度のうちの少なくとも１つである、態様２３に記載の方法。